(57)【要約】【課題】データ記録装置側とデータ再生装置側で同じ形式のデータを記録／再生する機能を持っていても、情報処理装置によって、その能力には制限があり、記録データの再生互換が保証できない。【解決手段】本発明は、データ再生装置の機器識別情報およびその再生能力情報を、記憶媒体等を通じて予めデータ記録装置に通知し、データ記録装置は通知された機器識別情報および再生能力情報を基に、データを生成することを特徴とするものである。これにより、記録媒体等に記録されたデータ再生装置の再生能力に従ってデータを生成するため、その生成されたデータは、該当するデータ再生装置で確実に再生が保証される。【選択図】図２
2005141813.tif 000002
【特許請求の範囲】
【請求項１】
自己の機器識別情報を記憶し出力する機器識別情報記憶手段と、自己の再生能力情報を記憶し出力する再生能力情報記憶手段と、機器識別情報と再生能力情報とを入力し機器識別／再生能力情報として第１の記録媒体に記録する第１の情報記録手段とを備えることを特徴とするデータ再生装置。
【請求項２】
第１の記録媒体に記録された機器識別／再生能力情報を読み取り、出力する第１の情報読取手段と、機器識別／再生能力情報を入力し、その情報に含まれる機器識別情報および機器の再生能力を基に、その機器に対応したデータを生成するためのデータ生成情報を決定して機器識別／データ生成情報を出力する第１のデータ生成情報決定手段と、機器識別／データ生成情報を入力し、生成すべきデータの対象となる機器識別情報およびデータ生成情報を、使用者に、そのままもしくは加工して表示し、さらに使用者にそのままもしくは加工して表示し、さらに表示した内容から使用者によって選択されたデータ生成情報を出力する機器表示／選択手段と、データ生成情報を入力し、そのデータ生成情報に従ってデータを生成してデータを出力するデータ生成手段と、データを入力してそのデータを記録媒体に記録するデータ記録手段を備えることを特徴とするデータ記録装置。
【請求項３】
自己の機器識別情報を記憶し出力する機器識別情報記憶手段と、自己の再生能力を識別するための情報を再生能力識別情報として記憶し出力する再生能力識別情報記憶手段と、機器識別情報と再生能力識別情報とを入力し機器識別／再生能力識別情報として第２の記録媒体に記録する第２の情報記録手段とを備えることを特徴とするデータ再生装置。
【請求項４】
第２の記録媒体に記録された機器識別／再生能力識別情報を読み取り、出力する第２の情報読取手段と、予め、再生能力識別情報に対する再生能力情報がテーブル情報として記憶されている再生能力テーブル記憶手段と、機器識別／再生能力識別情報と再生能力テーブルからの再生能力情報とを入力し、それらの情報から取り出される機器識別情報および機器の再生能力を基に、その機器に対応したデータを生成するためのデータ生成情報を決定して機器識別／データ生成情報を出力する第２のデータ生成情報決定手段と、機器識別／データ生成情報を入力し、生成すべきデータの対象となる機器識別情報およびデータ生成情報を、使用者に、そのままもしくは加工して表示し、さらに使用者にそのままもしくは加工して表示し、さらに表示した内容から使用者によって選択されたデータ生成情報を出力する機器表示／選択手段と、データ生成情報を入力し、そのデータ生成情報に従ってデータを生成してデータを出力するデータ生成手段と、データを入力してそのデータを記録媒体に記録するデータ記録手段を備えることを特徴とするデータ記録装置。
【請求項５】
請求項１のデータ再生装置における第１の情報記録手段を、機器識別／再生能力情報を通信手段に対して送信する第１の情報送信手段に置き換え、データ記録装置から送信されたデータを受信するデータ受信手段と、データ受信手段が受信したデータを入力し記憶するデータ記憶手段とを備えることを特徴とするデータ再生装置。
【請求項６】
請求項２のデータ記録装置における第１の情報読取手段を、通信手段から機器識別／再生能力情報を受信する第１の情報受信手段に置き換え、データ記録手段を、入力したデータを通信手段へ送信するデータ送信手段に置き換えたことを特徴とするデータ記録装置。
【請求項７】
請求項３のデータ再生装置における第２の情報記録手段を、機器識別／再生能力識別情報を通信手段に対して送信する第２の情報送信手段に置き換え、データ記録装置から送信されたデータを受信するデータ受信手段と、データ受信手段が受信したデータを入力し記憶するデータ記憶手段とを備えることを特徴とするデータ再生装置。
【請求項８】
請求項４のデータ記録装置における第２の情報読取手段を、通信手段から機器識別／再生能力識別情報を受信する第２の情報受信手段に置き換え、データ記録手段を、入力したデータを通信手段へ送信するデータ送信手段に置き換えたことを特徴とするデータ記録装置。
【発明の詳細な説明】
【技術分野】
【０００１】
本発明は、画像情報、映像情報、または音声情報等のデータを、異なる装置間での互換性を確保するためのデータ記録装置およびデータ記録装置に関するものである。
【背景技術】
【０００２】
従来から、画像情報、映像情報、または、音声情報を様々な形式で圧縮／伸張する技術が規格化されており、それぞれのデータの形式を記録および再生するための情報処理装置が数多く実現されている。
【０００３】
データの形式が同じであるかどうかに関わらず、異なる情報処理装置間でのデータ互換性問題は重要な問題である。これを解決する手段として、データ再生装置側が記録データに従って再生処理を行う方法がある（例えば、特許文献１参照）。しかし、この方法は、データ再生装置側での再生能力を考慮せずに記録されたデータであるため、再生に関する互換性の保証は少ない。また、データを記録した記憶媒体に再生のためのデコードインストラクションを記録する方法もある（例えば、特許文献２参照）。しかし、この方法では、データ再生装置側がデコードインストラクションを読み込み、実行するための機構が必要で、装置自体が高価になる。特に、近年のＭＰＥＧ等の技術に従った形式のデータを再生するには、情報処理装置に高い能力が必要であり、デコードインストラクションが与えられても十分な互換性を確保できるとは言いがたい。
【特許文献１】特開平６−２３６３１６号公報
【特許文献２】特開平６−２５０７００号公報
【発明の開示】
【発明が解決しようとする課題】
【０００４】
本発明において解決しようとする問題点は、たとえ、データ記録装置側とデータ再生装置側で同じ形式のデータを記録／再生する機能を持っていても、情報処理装置によって、その能力には制限があり、記録データの再生互換が保証できない点である。
【課題を解決するための手段】
【０００５】
本発明は、データ再生装置の機器識別情報およびその再生能力情報を、記憶媒体等を通じて予めデータ記録装置に通知し、データ記録装置は通知された機器識別情報および再生能力情報を基に、データを生成することを特徴とするものである。
【発明の効果】
【０００６】
本発明によるデータ記録装置は、記録媒体等に記録されたデータ再生装置の再生能力に従ってデータを生成するため、その生成されたデータは、該当するデータ再生装置で確実に再生が保証される。
【発明を実施するための最良の形態】
【０００７】
（実施の形態１）
図１は、本発明の実施の形態１による第１のデータ再生装置の構成を説明するための図である。図１の第１のデータ再生装置は、機器識別情報記憶手段１に第１のデータ再生装置に固有の識別情報を機器識別情報として記憶し、再生能力情報記憶手段２には第１のデータ再生装置の再生能力を再生能力情報として記憶している。
【０００８】
機器識別情報は、第１のデータ再生装置の種類を特定できる情報であれば良く、例えば、製造者識別子、機器識別子、機器名などがあげられるが、これに限定しない。また、その他に、製造年、製造ロット番号など、機器の識別に使用しない情報を含んでも良い。
【０００９】
再生能力情報は、例えば、第１のデータ再生装置が再生可能な、データ形式、そのデータ形式のうち利用可能なオプションやパラメータ範囲など、これに限らず、データ記録装置がデータを生成するために必要な情報を含む。この時、第１のデータ再生装置が複数のデータ形式や、同じデータ形式であっても複数のオプションなどの組に対して再生可能な場合、それらを複数記憶することができる。
【００１０】
機器識別情報および再生能力情報は、第１のデータ再生装置に第１の記録媒体４が装着されると、自動的にもしくは使用者の操作により、第１の情報記録手段３によって機器識別／再生能力情報として第１の記録媒体４に記録される。
【００１１】
（実施の形態２）
図２は、本発明の実施の形態２による第１のデータ記録装置の構成を説明するための図である。第１のデータ記録装置は、データを生成する際、上記実施の形態１に記述した機器識別／再生能力情報が記録された第１の記録媒体４が装着されていると、まず、第１の情報読取手段５により、その機器識別／再生能力情報が読み込まれ、第１のデータ生成情報決定手段６に送られる。
【００１２】
第１のデータ生成情報決定手段６は、機器識別／再生能力情報を入力すると、再生能力情報に含まれるデータ形式や、そのデータ形式のオプションおよびパラメータ等と、第１のデータ記録装置自身が持つデータ記録能力とから、機器識別情報で識別される機器で再生可能なデータを生成するためのデータ生成情報を１つ以上決定する。機器識別／再生能力情報に、複数の機器に関する機器識別／再生能力情報が含まれる場合は、必要に応じて各機器に対するデータ生成情報を決定する。決定されたデータ生成情報は、対応する機器識別情報と共に、機器識別／データ生成情報として出力される。
【００１３】
機器表示選択手段７は機器識別／データ生成情報を入力すると、機器識別情報に含まれる機器の情報および／またはデータ生成情報を、そのままもしくは加工して使用者に表示し、使用者に選択を促すと共に選択入力を受け付ける。使用者により特定の機器および／またはデータ生成情報が選択されると、選択されたデータ生成情報が出力される。
【００１４】
データ生成手段８はデータ生成情報を入力すると、データ生成情報に従ってデータを生成し、データ記録手段９に出力する。そして、データはデータ記録手段９により、第１の記録媒体４に記録される。第１の記録媒体４に記録されたこのデータは、本発明の実施の形態１に記述した第１のデータ再生装置で再生が可能となる。
【００１５】
（実施の形態３）
図３は、本発明の実施の形態３による第２のデータ再生装置の構成を説明するための図である。図３の第２のデータ再生装置における、機器識別情報記憶手段１は、実施の形態１の機器識別情報記憶手段１と同じである。再生能力識別情報記憶手段１０には第２のデータ再生装置の再生能力を示す識別子を再生能力識別情報として記憶している。
【００１６】
再生能力識別情報は、上記実施の形態１で記述した再生能力情報の内容のうち、１つもしくは複数の情報の組を予め識別子として定義したものである。
【００１７】
機器識別情報および再生能力識別情報は、第２のデータ再生装置に第２の記録媒体１２が装着されると、自動的にもしくは使用者の操作により、第２の情報記録手段１１によって機器識別／再生能力識別情報として第２の記録媒体１２に記録される。
【００１８】
（実施の形態４）
図４は、本発明の実施の形態４による第２のデータ記録装置の構成を説明するための図である。第２のデータ記録装置は、データを生成する際、上記実施の形態２に記述した機器識別／再生能力識別情報が記録された第２の記録媒体１２が装着されていると、まず、第２の情報読取手段１３により、その機器識別／再生能力識別情報が読み込まれ、第２のデータ生成情報決定手段１４に送られる。
【００１９】
第２のデータ記録装置は、上記実施の形態３で定義した再生能力の識別子とそれに対する再生能力情報を予め再生能力テーブル記憶手段１５に記憶している。第２のデータ生成情報決定手段１４は、機器識別／再生能力識別情報を入力すると、再生能力識別情報に対応する再生能力情報を再生能力テーブル記憶手段１５から取り出し、再生能力情報に含まれるデータ形式や、そのデータ形式のオプションおよびパラメータ等と、第２のデータ記録装置自身が持つデータ記録能力とから、機器識別情報で識別される機器で再生可能なデータを生成するためのデータ生成情報を１つ以上決定する。機器識別／再生能力識別情報に、複数の機器に関する機器識別／再生能力識別情報が含まれる場合は、必要に応じて各機器に対するデータ生成情報を決定する。決定されたデータ生成情報は、対応する機器識別情報と共に、機器識別／データ生成情報として出力される。
【００２０】
機器表示選択手段７、データ生成手段８およびデータ記録手段９は上記実施の形態２と同じ動作をし、作成されたデータはデータ記録手段９により、第２の記録媒体１２に記録される。第２の記録媒体１２に記録されたこのデータは、本発明の実施の形態３に記述した第２のデータ再生装置で再生が可能となる。
【００２１】
（実施の形態５）
図５は、本発明の実施の形態５による第３のデータ再生装置の構成を説明するための図である。図５の第３のデータ再生装置は、上記実施の形態１における図１の第１の情報記録手段３を第１の情報送信手段１６に置き換えたものである。
【００２２】
第１の情報送信手段１６は、機器識別情報および再生能力情報を入力すると、自動的にもしくは使用者の操作により、機器識別／再生能力情報として送信手段を用いて第３のデータ記録装置（図６）に対して送信される。
【００２３】
データ受信手段１７は、第３のデータ記録装置で作成されたデータを受信すると、そのデータをデータ記憶手段１８に記録する。
【００２４】
（実施の形態６）
図６は、本発明の実施の形態６による第３のデータ記録装置の構成を説明するための図である。図６の第３のデータ記録装置は、上記実施の形態２における図２の第１の情報読取手段５を第１の情報受信手段１９に置き換え、さらに、図２のデータ記録手段９をデータ送信手段２０に置き換えたものである。
【００２５】
第１の情報受信手段１９は、第３のデータ再生装置から送信された機器識別／再生能力情報を受信すると、その機器識別／再生能力情報を第１のデータ生成情報決定手段６に対して出力する。以降、上記実施の形態２の記述と同じ手段によりデータ生成まで行われ、生成されたデータは、データ送信手段２０により第３のデータ再生装置に対して送信される。
【００２６】
（実施の形態７）
図７は、本発明の実施の形態７による第４のデータ再生装置の構成を説明するための図である。図７の第４のデータ再生装置は、上記実施の形態３における図３の第２の情報記録手段１１を第２の情報送信手段２１に置き換えたものである。
【００２７】
第２の情報送信手段２１は、機器識別情報および再生能力識別情報を入力すると、自動的にもしくは使用者の操作により、機器識別／再生能力識別情報として送信手段を用いて第４のデータ記録装置（図８）に対して送信される。
【００２８】
データ受信手段１７は、第４のデータ記録装置で作成されたデータを受信すると、そのデータをデータ記憶手段１８に記録する。
【００２９】
（実施の形態８）
図８は、本発明の実施の形態８による第４のデータ記録装置の構成を説明するための図である。図８の第４のデータ記録装置は、上記実施の形態４における図４の第２の情報読取手段１３を第２の情報受信手段２２に置き換え、さらに、図４のデータ記録手段９をデータ送信手段２０に置き換えたものである。
【００３０】
第２の情報受信手段２２は、第４のデータ再生装置から送信された機器識別／再生能力識別情報を受信すると、その機器識別／再生能力識別情報を第２のデータ生成情報決定手段１４に対して出力する。以降、上記実施の形態４の記述と同じ手段によりデータ生成まで行われ、生成されたデータは、データ送信手段２０により第４のデータ再生装置に対して送信される。
【産業上の利用可能性】
【００３１】
本発明にかかるデータ再生装置およびデータ記録装置は、データ記録装置で作成したデータがデータ再生装置で確実に再生可能であることを保証する必要がある場合に有用である。
【図面の簡単な説明】
【００３２】
【図１】本発明の実施の形態１における第１のデータ再生装置の構成図
【図２】本発明の実施の形態２における第１のデータ記録装置の構成図
【図３】本発明の実施の形態３における第２のデータ再生装置の構成図
【図４】本発明の実施の形態４における第２のデータ記録装置の構成図
【図５】本発明の実施の形態５における第３のデータ再生装置の構成図
【図６】本発明の実施の形態６における第３のデータ記録装置の構成図
【図７】本発明の実施の形態７における第４のデータ再生装置の構成図
【図８】本発明の実施の形態８における第５のデータ記録装置の構成図
【符号の説明】
【００３３】
１    機器識別情報記憶手段
２    再生能力情報記憶手段
３    第１の情報記憶手段
４    第１の記憶媒体
５    第１の情報読取手段
６    第１のデータ生成情報決定手段
７    機器表示／選択手段
８    データ生成手段
９    データ記録手段
１０    再生能力識別情報記憶手段
１１    第２の情報記憶手段
１２    第２の記憶媒体
１３    第２の情報読取手段
１４    第２のデータ生成情報決定手段
１５    再生能力テーブル記憶手段
１６    第１の情報送信手段
１７    データ受信手段
１８    データ記憶手段
１９    第１の情報受信手段
２０    データ送信手段
２１    第２の情報送信手段
２２    第２の情報受信手段
【図１】
2005141813.tif 000003
【図２】
2005141813.tif 000004
【図３】
2005141813.tif 000005
【図４】
2005141813.tif 000006
【図５】
2005141813.tif 000007
【図６】
2005141813.tif 000008
【図７】
2005141813.tif 000009
【図８】
2005141813.tif 000010